(57)【要約】【課題】  プロジェクトウィンドウに表示されているプログラムブロックの下位にブロックを示すブロックリスト及びブロックの構成を示すコメント情報が表示できるようにしたことにより、プログラムブロックを開かずにプログラム全体の構成を確認することができるプログラマブルコントローラの表示装置を提供する。【解決手段】  プログラマブルコントローラの表示装置は、複数のプログラムで構成され、それぞれのプログラムが複数のプログラムブロックで構成されていることをツリー状に画面に表示されているプログラマブルコントローラのプロジェクトウィンドウにおいて、前記表示されているプログラムブロックの下位にブロックを示すブロックリスト及びブロックの構成を示すコメント情報が表示できるようにしたことである。【選択図】  図１
2006221528.tif 000002
【特許請求の範囲】
【請求項１】
複数のプログラムで構成され、それぞれのプログラムが複数のプログラムブロックで構成されていることをツリー状に画面に表示されているプログラマブルコントローラのプロジェクトウィンドウにおいて、
前記表示されているプログラムブロックの下位にブロックを示すブロックリスト及びブロックの構成を示すコメント情報が表示できるようにしたことを特徴とするプログラマブルコントローラの表示装置。
【請求項２】
前記表示されているプログラムブロックをクリックすることで、ブロックを示すブロックリストが表示されることを特徴とする請求項１に記載のプログラマブルコントローラの表示装置。
【請求項３】
前記表示されているブロックリストをクリックすることで、ブロックの構成を示すコメント情報が表示されることを特徴とする請求項１に記載のプログラマブルコントローラの表示装置。
【請求項４】
前記表示されているブロックの構成を示すコメント情報をクリックすることで、当該プログラムブロックを起動させるようにしたことを特徴とする請求項１に記載のプログラマブルコントローラの表示装置。
【発明の詳細な説明】
【技術分野】
【０００１】
本発明は、プログラマブルコントローラの表示装置に関し、詳しくはプログラマブルコントローラユーザアプリケーション開発ソフトウェアにおいて、ユーザプログラムの視認性と操作性向上を目的としたプロジェクト表示機能に関する。
【背景技術】
【０００２】
従来技術における、プログラマブルコントローラの表示装置は、図２に示すように、プロジェクトウィンドウにプログラム（ここでは実行プログラム）、ブロック一覧がツリー状にリストとして表示され、実行プログラムの下位に構成定義、コンフィギュレーション、共通信号定義等が表示され、ブロック一覧の下位に複数のプログラムブロック（ＢＬＫ＿ＭＡＩＮ、ＢＬＫ＿ＭＡＩ１、ＢＬＫ＿ＭＡＩ２等）のリストが表示される構成になっている。
そして、これらのブロックリストのうち、何れかを選択する、いまプログラムブロックの「ＢＬＫ＿ＭＡＩＮ」を選択すると、画面上に「ＢＬＫ＿ＭＡＩＮ」のブロック編集画面、即ち、ブロックウィンドウが表示される。
【０００３】
このブロックウィンドウの編集画面には、上部位置に回路コメントエリアが存在し、プログラムの名称（ここでは「ＷｉｄｅＦｉｅｌｄサンプル版プログラム」）が表示され、その下位置に表示形態（ここでは「文字列「ＷｉｄｅＦｉｅｌｄ」を１文字ずつ１秒間表示する」を表示する。
このコメントエリアの下部位置に  入力したプログラムが表示され、ここではスイッチ「ＡｌｌＯｎ」が表示されている。このプログラムのエリアの下部位置にはやはりコメントエリアが存在し、ここでは「ＬＥＤに表示するマクロを呼び出し、引数に［ＷＩＤＥＦＩＥＬＤ］の文字を流す」と「文字列［ＷＩＤＥＦＩＥＬＤ］を順に表示する。」の２つのコメントが表示されている。
【０００４】
このように、プログラム中の回路コメントは、その回路コメント以降の特定の範囲のプログラムについて説明される文である回路コメントが記述されている。
ユーザはこの回路コメントを頼りにプログラムの構成を知ることができる。又、回路の修正情報等を自由に記載することができるため、プログラムメンテナンスに利用されることが多い。
【０００５】
従来、この回路コメントの表示方式には次のような方法があった。
（１）ブロックウィンドウにおいて、プログラムと同様に並べて表示する。
（２）ブロックウィンドウにおいて、回路コメント以外を省略して表示する。
（３）ブロックウィンドウにおいて、プログラムと切り離してコメントリストとして表示する。
【特許文献１】特開２００２−１４９２１１号公報（第５頁  第１図）
【発明の開示】
【発明が解決しようとする課題】
【０００６】
しかし、従来技術で説明した回路コメントの表示方法においては、いずれもプログラムブロックを開いた状態でその内容を知ることができる構成であったが、本来、プログラムブロックが所属するプロジェクトからプログラムの構成を示すことが必要であり、操作性の観点からもプロジェクトウィンドウにプログラム構成を示す回路コメント情報を表示するべきであると考えられる。
従って、本発明はプロジェクトウィンドウ上に表示されたブロック一覧の下位に回路コメント情報を表示することにより、ユーザアプリケーションプログラムの視認性、編集操作性を向上させることに解決しなければならない課題を有する。
【課題を解決するための手段】
【０００７】
上記課題を解決するために、本願発明のプログラマブルコントローラの表示装置は、次に示す構成にしたことである。
【０００８】
（１）プログラマブルコントローラの表示装置は、複数のプログラムで構成され、それぞれのプログラムが複数のプログラムブロックで構成されていることをツリー状に画面に表示されているプログラマブルコントローラのプロジェクトウィンドウにおいて、前記表示されているプログラムブロックの下位にブロックを示すブロックリスト及びブロックの構成を示すコメント情報が表示できるようにしたことである。
（２）前記表示されているプログラムブロックをクリックすることで、ブロックを示すブロックリストが表示されることを特徴とする（１）に記載のプログラマブルコントローラの表示装置。
（３）前記表示されているブロックリストをクリックすることで、ブロックの構成を示すコメント情報が表示されることを特徴とする（１）に記載のプログラマブルコントローラの表示装置。
（４）前記表示されているブロックの構成を示すコメント情報をクリックすることで、当該プログラムブロックを起動させるようにしたことを特徴とする（１）に記載のプログラマブルコントローラの表示装置。
【発明の効果】
【０００９】
本提案によれば、プロジェクトウィンドウに表示されているプログラムブロックの下位にブロックを示すブロックリスト及びブロックの構成を示すコメント情報が表示できるようにしたことにより、プログラムブロックを開かずにプログラム全体の構成を確認することができる。
又、プログラムブロックの修正情報をプロジェクトウィンドウから確認することができる。
更に、ユーザが必要とするプログラム箇所を見つけやすくなる。また、注視しないプログラムを遮蔽できる。
また、表示されているブロックの構成を示すコメント情報をクリックすることで、当該プログラムブロックを起動させるようにしたことにより、１アクションで指定プログラム位置にジャンプできる。
【発明を実施するための最良の形態】
【００１０】
次に、本願発明に係るプログラマブルコントローラの表示装置の実施形態について、図面を参照して以下説明ずる。
【実施例１】
【００１１】
本願発明のプログラマブルコントローラの表示装置は、図１に示すように、プロジェクトウィンドウにプログラム（ここではＰＲＧＳＬＴ１、ＰＲＧＳＬＴ２、ＰＲＧＳＬ１ＤＢ等）がツリー状にリストとして表示され、プログラムＰＲＧＳＬＴ１の下位に構成定義、構成ブロック等が表示され、この構成ブロックの下位に複数のプログラムブロック（ＢＬＫ、ＢＬＫ、…）のリストが表示される。
この段階では、ＢＬＫで表されるプログラムブロックはどのような機能のブロックであるか分からない。ここで、ＢＬＫの＋をクリックすると、（Ｃ）に示すように、プログラムブロックのブロックリストが表示される。ここでは、「３ ＲＳ＿ＳＤ」、「４ ＲＳ＿ＲＶ」、「５ ＮＣＶＡ」というブロックリストが表示される。
【００１２】
次に、ブロックリストが表示されている状態で、ＢＬＫの＋をクリックすると、ブロック内の回路コメント（コメント情報）が全て表示される。ここでは、（Ａ）に示すように、ブロックのブロックリストが「１ ＢＬＫ＿ＭＡＩＮ」で、このときのＢＬＫの＋をクリックすることで、ＢＬＫの下位に、「メインブ」、「初期化ス」、「初期化エ」、「初期化完」のブロック内回路コメント（コメント情報）が表示される。
【００１３】
同様に、（Ｂ）に示すように、ブロックリストが「２ ＢＬＫ＿ＭＡＩＮ」であるときに、ＢＬＫの＋をクリックすると、ブロック内回路コメントである「サブレー」、「定周期割」、「ＮＣエラー」、「モジュー」が表示され、このブロックの構成が一目に解かる。
【００１４】
そして、（Ｄ）に示すように、この表示されたブロック内回路コメント（実施例では「ＮＣエラー」）をダブルクリックすると、そのプログラムブロックが起動して、従来技術で説明した図２に示したブロックウインドウが画面上に表示される。ここでは省略してある。
【００１５】
上記説明したことを系統だてて説明すると以下に示すようになる。
（１）プロジェクトを初めて開いた状態では、プロジェクトウィンドウ上にブロックリスト／回路コメントは表示されない。
（２）（Ｃ）に示すように、“構成ブロック”の＋をクリックすることにより、ブロックリストが表示される。
（３）（Ａ）、（Ｂ）に示すように、“構成ブロック”下のブロックリストの＋をクリックすることにより、ブロック内の回路コメントが全て表示される。
（４）ユーザはこの状態で、ブロック内のプログラム構成を知ることができる。また、（Ｄ）に示すように、回路コメント位置にマウスポインタを合わせダブルクリックすると、そのブロックが開かれ、指定した回路コメント位置にジャンプする。
【産業上の利用可能性】
【００１６】
プロジェクトウィンドウに表示されているプログラムブロックの下位にブロックを示すブロックリスト及びブロックの構成を示すコメント情報が表示できるようにしたことにより、プログラムブロックを開かずにプログラム全体の構成を確認することができるプログラマブルコントローラの表示装置を提供する。
【図面の簡単な説明】
【００１７】
【図１】本願発明のプロジェクトウィンドウの表示状態を抜粋で示した説明図である。
【図２】従来技術におけるプロジェクトウィンドウの表示状態を抜粋で示した説明図である。
【符号の説明】
【００１８】
（Ａ）      コメント情報の表示
（Ｂ）      コメント情報の表示
（Ｃ）      ブロックリストの表示。
【図１】
2006221528.tif 000003
【図２】
2006221528.tif 000004